(57)【特許請求の範囲】
【請求項１】
被測定物に測定電圧を印加する測定電圧発生部と、上記被測定物に流れる電流を検出する電流検出部と、上記測定電圧と上記検出電流とから絶縁抵抗値を算出する制御部（マイコン）と、上記制御部に測定条件などを入力する入力部と、測定終了後に上記被測定物の容量成分に残存している電荷を放電させる放電手段とを含み、上記制御部は、所定の信号線を介して製品検査ラインを制御する外部制御機器に接続され、上記外部制御機器に対して測定作業中であることを意味する「ＴＥＳＴ」信号と、測定作業終了を意味する「ＲＥＡＤＹ」信号のいずれかを選択的に送信する機能を備えている製品検査ライン用の絶縁抵抗計において、
上記「ＲＥＡＤＹ」信号の送信時点を、測定作業終了後に上記放電手段で上記残存電荷を放電させてから送信する第１送信時点と、上記残存電荷を放電させることなく測定作業終了とともに送信する第２送信時点のいずれかに設定する送信時点設定部を備え、
上記制御部は、上記入力部もしくは上記外部制御機器から測定終了指示信号を受けると測定作業を終了するとともに、上記送信時点設定部にアクセスし、その設定が上記第１送信時点である場合には、上記放電手段で上記残存電荷を放電させた後、上記外部制御機器に対し上記「ＴＥＳＴ」信号の送信を停止して上記「ＲＥＡＤＹ」信号を送信し、上記送信時点設定部の設定が上記第２送信時点である場合には、上記残存電荷を放電させることなく測定作業を終了した時点で、上記外部制御機器に対し上記「ＴＥＳＴ」信号の送信を停止して上記「ＲＥＡＤＹ」信号を送信することを特徴とする製品検査ライン用の絶縁抵抗計。
【請求項２】
上記送信時点設定部の設定が上記第２送信時点である場合においても、上記制御部は、上記放電手段により上記残存電荷を放電させる請求項１に記載の製品検査ライン用の絶縁抵抗計。
【発明の詳細な説明】
【０００１】
【発明の属する技術分野】
本発明は絶縁抵抗計に関し、さらに詳しく言えば、製品検査ラインに用いられる絶縁抵抗計であって、その製品検査ラインの制御機器に対して測定作業中、測定作業終了などの情報を送信する際の制御技術に関するものである。
【０００２】
【従来の技術】
絶縁抵抗計は、被測定物に比較的高い直流電圧を印加した状態での漏れ電流から絶縁抵抗を測定するが、被測定物に容量成分（コンデンサ成分）が含まれている場合には、測定を終了した後においても、その容量成分に電荷が残される。
【０００３】
したがって、製品検査ラインにおいて、絶縁抵抗を測定してから、引き続き抵抗測定や静電容量測定を行なう場合、例えばトランスの絶縁抵抗を測定した後、そのトランスの巻線抵抗を測定する場合、もしくはコンデンサの絶縁抵抗を測定した後、そのコンデンサの静電容量をＬＣＲメータなどで測定する場合、容量成分に電荷が残っていると、その後に行なう測定で測定器を破損させるおそれがある。
【０００４】
そこで、ほとんどの絶縁抵抗計には、被測定物の残存電荷を放電させるための放電回路が設けられており、測定終了後に、その放電回路により残存電荷を放電させるようにしている。
【０００５】
【発明が解決しようとする課題】
ところで、製品検査ラインに用いられる絶縁抵抗計は、その製品検査ラインの主制御機器（例えばパソコンで、絶縁抵抗計から見れば外部制御機器）と所定の信号線を介して接続され、主制御機器に対して絶縁抵抗測定中は「ＴＥＳＴ」信号を送信し、測定が終了すると「ＲＥＡＤＹ」信号を送信する。主制御機器はこの信号により製品検査ラインを制御する。
【０００６】
従来技術においては、次の検査工程での安全を期すため、被測定物の残存電荷を放電させてから、「ＲＥＡＤＹ」信号を出力するようにしている。したがって、主制御機器は、被測定物に高電圧に相当する電荷が残っていても次の検査工程に支障がない場合でも、一律に絶縁抵抗計での放電が終了するまで待たされることなり、その分、時間的なロスが生ずる。
【０００７】
【課題を解決するための手段】
本発明は、このような課題を解決するためになされたもので、その目的は、製品検査ラインに用いられる場合において、測定作業終了を意味する「ＲＥＡＤＹ」信号の送信（出力）時点をユーザー側で適宜選択できるようにした絶縁抵抗計を提供することにある。
【０００８】
上記目的を達成するため、本発明は、被測定物に測定電圧を印加する測定電圧発生部と、上記被測定物に流れる電流を検出する電流検出部と、上記測定電圧と上記検出電流とから絶縁抵抗値を算出する制御部（マイコン）と、上記制御部に測定条件などを入力する入力部と、測定終了後に上記被測定物の容量成分に残存している電荷を放電させる放電手段とを含み、上記制御部は、所定の信号線を介して製品検査ラインを制御する外部制御機器に接続され、上記外部制御機器に対して測定作業中であることを意味する「ＴＥＳＴ」信号と、測定作業終了を意味する「ＲＥＡＤＹ」信号のいずれかを選択的に送信する機能を備えている製品検査ライン用の絶縁抵抗計において、上記「ＲＥＡＤＹ」信号の送信時点を、測定作業終了後に上記放電手段で上記残存電荷を放電させてから送信する第１送信時点と、上記残存電荷を放電させることなく測定作業終了とともに送信する第２送信時点のいずれかに設定する送信時点設定部を備え、上記制御部は、上記入力部もしくは上記外部制御機器から測定終了指示信号を受けると測定作業を終了するとともに、上記送信時点設定部にアクセスし、その設定が上記第１送信時点である場合には、上記放電手段で上記残存電荷を放電させた後、上記外部制御機器に対し上記「ＴＥＳＴ」信号の送信を停止して上記「ＲＥＡＤＹ」信号を送信し、上記送信時点設定部の設定が上記第２送信時点である場合には、上記残存電荷を放電させることなく測定作業を終了した時点で、上記外部制御機器に対し上記「ＴＥＳＴ」信号の送信を停止して上記「ＲＥＡＤＹ」信号を送信することを特徴としている。
【０００９】
この構成によれば、絶縁抵抗測定の後に控えている検査工程によって「ＲＥＡＤＹ」信号の送信時点を選ぶことができる。すなわち、被測定物に電荷が残されていることにより次の検査工程で支障が生ずる場合には上記第１送信時点を選択し、そうでない場合には上記第２送信時点を選択すればよい。
【００１０】
なお、上記送信時点設定部の設定が上記第２送信時点である場合においても、上記放電手段により残存電荷を放電させるようにすることが好ましい。本発明によれば、上記の構成とすることにより、その製品検査ラインの効率を高めることができる。
【００１１】
【発明の実施の形態】
次に、本発明を図面に示されている実施例により説明する。図１は、この実施例に係る絶縁抵抗計の概略的なブロック図である。
【００１２】
この絶縁抵抗計は、基本的な構成として、被測定物Ｘに所定の直流電圧を印加する測定電圧発生部１０と、被測定物Ｘの漏れ電流を検出する電流検出部２０と、制御部としてのマイコン（マイクロコンピュータ）３０とを備えている。
【００１３】
測定電圧発生部１０および電流検出部２０は公知のものであってよく、測定電圧発生部１０には、被測定物Ｘに対する印加電圧を検出する電圧検出部１１が接続されている。電流検出部２０にて検出された測定電流は、Ａ／Ｄ変換器２１を介してマイコン３０に入力される。また、電圧検出部１１にて検出された印加電圧もＡ／Ｄ変換器２１を介してマイコン３０に入力される。
【００１４】
マイコン３０は、その測定電流と印加電圧とにより、被測定物Ｘの絶縁抵抗値を算出する。また、マイコン３０から測定電圧発生部１０には、電圧レンジ切換信号が与えられ、電圧検出部１１および電流検出部２０には、レンジやゲインの切換信号が与えられる。
【００１５】
図示されていないが、例えば電流検出部２０側には被測定物Ｘの残存電荷を放電するための放電回路が設けられている。放電回路は、被測定物Ｘの両端子間を短絡する開閉スイッチであってよい。
【００１６】
マイコン３０には、例えばテンキーや各種の設定ダイヤルなどを有する入力部４０、表示パネルやＬＥＤもしくはブザーなどを有する表示部５０、外部の例えばパソコンと接続するための接続手段６０およびＲＡＭなどからなるメモリ７０が接続されている。
【００１７】
この絶縁抵抗計は製品検査ライン用であり、接続手段６０を介してその製品検査ラインの図示しない主制御機器（外部制御機器、例えばパソコン）と接続される。接続手段６０はＩ／Ｏ信号ラインやＲＳ２３２Ｃなどであってよい。
【００１８】
マイコン３０は、その外部制御機器に対して測定作業中であることを意味する「ＴＥＳＴ」信号と、測定作業終了を意味する「ＲＥＡＤＹ」信号のいずれかを選択的に送信する機能を備えている。
【００１９】
この絶縁抵抗計は、「ＲＥＡＤＹ」信号の送信時点をユーザー側で設定できる送信時点設定部４１を備えている。すなわち、この送信時点設定部４１にて、測定作業終了後に放電回路で被測定物Ｘの残存電荷を放電させてから送信する第１送信時点と、その残存電荷を放電させることなく測定作業終了とともに送信する第２送信時点のいずれかを設定することができる。この実施例において、送信時点設定部４１は入力部４０内に設けられている。
【００２０】
次に、図２フローチャートにしたがって、この絶縁抵抗計の動作について説明する。まず、マイコン３０に対して入力部４０のキー操作もしくは外部制御機器からスタート信号が出されると、測定信号発生部１０から被測定物Ｘに高圧の直流電圧が印加され、絶縁抵抗の測定が行なわれる（ステップＳＴ１）。この測定作業中、マイコン３０から外部制御機器に対して「ＴＥＳＴ」信号が送信される。
【００２１】
そして、ステップＳＴ２において、マイコン３０に入力部４０もしくは外部制御機器から測定終了指示信号が入力されると、ステップＳＴ３で測定信号発生部１０をオフとして測定作業を終了するとともに、ステップＳＴ４で、マイコン３０は送信時点設定部４１にアクセスし、その設定状態を調べる。
【００２２】
その設定が第１送信時点である場合、マイコン３０は、ステップＳＴ５で放電回路にて被測定物Ｘの残存電荷を放電させる。マイコン３０は、ステップＳＴ６で放電完了が確認されると、ステップＳＴ７で「ＴＥＳＴ」信号の送信を停止し、それに代わって「ＲＥＡＤＹ」信号を送信する。
【００２３】
これに対して、送信時点設定部４１の設定が第２送信時点である場合には、マイコン３０は、上記ステップＳＴ５，ＳＴ６を行なうみとなく、測定作業の終了に伴なって「ＴＥＳＴ」信号の送信を停止し、それに代わって「ＲＥＡＤＹ」信号を送信する。また、同時に放電回路にて被測定物Ｘの放電を開始する（ステップＳＴ７ａ）。
【００２４】
なお、上記実施例において、場合によってはステップＳＴ７ａでの放電を省略してもよい。また、「ＴＥＳＴ」信号と「ＲＥＡＤＹ」信号を２本の信号線で送信してもよいし、１本の信号線で送信してもよい。１本の信号線の場合には、「ＴＥＳＴ」信号と「ＲＥＡＤＹ」信号の別を、例えば電圧のＨＩＧＨ，ＬＯＷにより表せばよい。
【００２５】
【発明の効果】
以上説明したように、本発明によれば、マイコン（制御部）から外部制御機器に対して、測定作業中には「ＴＥＳＴ」信号を送信し、測定作業終了時には「ＲＥＡＤＹ」信号を送信する機能を備えている特に製品検査ラインに用いられる絶縁抵抗計において、「ＲＥＡＤＹ」信号の送信時点を、測定作業終了後に被測定物の残存電荷を放電させてから送信する第１送信時点と、残存電荷を放電させることなく測定作業終了とともに送信する第２送信時点のいずれかに設定する送信時点設定部を設けたことにより、製品検査ラインに応じて「ＲＥＡＤＹ」信号の送信時点をユーザー側で適宜選択することができる。したがって、製品検査ラインの効率がより一層高められる。
【図面の簡単な説明】
【図１】本発明による絶縁抵抗計の一実施例の構成を概略的に示したブロック図。
【図２】上記実施例の動作を説明するためのフローチャート。
【符号の説明】
１０  測定電圧発生部
１１  電圧検出部
２０  電流検出部
２１  Ａ／Ｄ変換器
３０  マイコン
４０  入力部
４１  送信時点設定部
５０  表示部
６０  接続手段
７０  メモリ
【図１】
0004336006.tif 000002
【図２】
0004336006.tif 000003